(57)【要約】  【目的】  ネットワーク情報の設定に不慣れなユーザであっても無線通信を用いて画像のプリント注文を行うようにする。  【構成】  互いに無線通信可能なディジタル・スチル・カメラ１とプリント注文受付装置20との間で無線通信のためのESS-ID，WEP-KEYなどのネットワーク情報をあらかじめ設定しておく。あらかじめ設定されているネットワーク設定情報を用いてディジタル・スチル・カメラ１からプリント注文受付装置20に無線通信により画像データを送信する。無線ネットワーク情報をユーザが設定することなく，ディジタル・スチル・カメラ１とプリント注文受付装置20との間で無線通信を行い，画像のプリント注文を行うことができるようになる。  【選択図】  図１
2005242732.tif 000002
【特許請求の範囲】
【請求項１】
画像データ送信装置とプリント注文受付装置とを含むプリント注文システムにおいて，
上記画像データ送信装置が，
無線ネットワーク情報があらかじめ設定されており，かつこのあらかじめ設定されている無線ネットワーク情報にもとづいて，上記プリント注文受付装置に画像データを無線送信する第１の無線送信手段を備え，
上記プリント注文受付装置が，
上記画像データ送信装置の上記第１の無線送信手段から送信された画像データによって表される画像のプリント注文を受け付けるプリント注文受付手段，
無線ネットワーク情報があらかじめ設定されており，かつこのあらかじめ設定されている無線ネットワーク情報にもとづいて，上記プリント注文受付手段によるプリント注文の受け付けに応答して，プリント注文識別情報を表すプリント注文識別データを上記画像データ送信装置に無線送信する第２の無線送信手段，
上記画像データ送信装置の上記第１の無線送信手段から送信された画像データと上記第２の無線送信手段から送信されたプリント注文識別データとを対応して記憶する記憶手段，
プリント注文識別情報を入力する入力手段，および
上記入力手段から入力されたプリント注文識別情報にもとづいて，上記記憶手段に記憶されている画像データによって表される画像のプリントを行うようにプリンタを制御するプリンタ制御手段，
を備えたプリント注文システム。
【請求項２】
上記プリント注文受付装置の上記第２の無線送信手段から送信されるプリント注文識別データが，バーコードを表すものであり，
上記プリント注文受付装置の上記入力手段が，バーコードを読み取るものである，
請求項１に記載のプリント注文システム。
【請求項３】
上記画像データ送信装置の上記第１の無線送信手段，および上記プリント注文受付装置の上記第２の無線送信手段の少なくとも一方が暗号化されたデータを送信するものである，
請求項１に記載のプリント注文システム。
【請求項４】
あらかじめ設定されている無線ネットワーク情報にもとづいて，画像データ送信装置から無線送信された画像データによって表される画像のプリント注文を受け付けるプリント注文受付手段，
無線ネットワーク情報があらかじめ設定されており，かつこのあらかじめ設定されている無線ネットワーク情報にもとづいて，上記プリント注文受付手段によるプリント注文の受け付けに応答して，プリント注文識別情報を表すプリント注文識別データを上記画像データ送信装置に無線送信する無線送信手段，
上記画像データ送信装置から送信された画像データと上記無線送信手段から送信されたプリント注文識別データとを対応して記憶する記憶手段，
プリント注文識別情報を入力する入力手段，および
上記入力手段から入力されたプリント注文識別情報にもとづいて，上記記憶手段に記憶されている画像データによって表される画像のプリントを行うようにプリンタを制御するプリンタ制御手段，
を備えたプリント注文受付装置。
【請求項５】
無線ネットワーク情報があらかじめ設定されており，かつこのあらかじめ設定されている無線ネットワーク情報にもとづいて，プリント注文受付装置に画像データを無線送信する無線送信手段，
上記無線送信手段から無線送信された画像データが上記プリント注文受付装置において受信されたことにより，上記プリント注文受付装置から，あらかじめ設定されている無線ネットワーク情報にもとづいて無線送信され，プリント注文識別情報を表すプリント注文識別データを受信する無線受信手段，および
上記無線受信手段によって受信したプリント注文識別データによって表されるプリント注文識別情報を出力する出力手段，
を備えた画像データ送信装置。
【請求項６】
あらかじめ設定されている無線ネットワーク情報にもとづいて，画像データ送信装置から無線送信された画像データによって表される画像のプリント注文を受け付け，
無線ネットワーク情報があらかじめ設定されており，かつこのあらかじめ設定されている無線ネットワーク情報にもとづいて，プリント注文の受け付けに応答して，プリント注文識別情報を表すプリント注文識別データを上記画像データ送信装置に無線送信し，
上記画像データ送信装置から送信された画像データと上記プリント注文識別データとを対応して記憶し，
プリント注文識別情報の入力を受け付け，
入力されたプリント注文識別情報にもとづいて，上記記憶手段に記憶されている画像データによって表される画像のプリントを行うようにプリンタを制御する，
プリント注文受付装置の制御方法。
【請求項７】
無線ネットワーク情報があらかじめ設定されており，かつこのあらかじめ設定されている無線ネットワーク情報にもとづいて，プリント注文受付装置に画像データを無線送信し，
無線送信された画像データが上記プリント注文受付装置において受信されたことにより，上記プリント注文受付装置から，あらかじめ設定されている無線ネットワーク情報にもとづいて無線送信され，プリント注文識別情報を表すプリント注文識別データを受信し，
受信したプリント注文識別データによって表されるプリント注文識別情報を出力する，
画像データ送信装置の制御方法。
【発明の詳細な説明】
【技術分野】
【０００１】
この発明は，プリント注文システム，プリント注文受付装置，および画像データ送信装置ならびにそれらの制御方法に関する。
【背景技術】
【０００２】
ディジタル・スチル・カメラ，カメラ付き携帯電話などにより撮像された被写体像をプリントする場合には，プリント装置に画像データを送信する必要がある。画像データの送信に無線ＬＡＮ（Local Area Network）を利用する場合には，WEP（Wired Equivalent Privacy）-KEY，ESS（Extended service Set）-IDなどの無線ネットワーク情報を各装置ごとに設定する必要がある。
【０００３】
たとえば，カメラ付き携帯電話から写真店が運営するネットワーク・プリント・システムへの画像データの送信に無線ＬＡＮを利用するものがある（特許文献１）。このようなシステムにおいては，使用する個々のアクセス・ポイントごとにWEP-KEY，ESS-IDなどの無線ネットワーク情報が変更させられる。
【特許文献１】特開2003-281028号公報
【０００４】
また，無線通信機能をもったカメラを認証するものもあるが（特許文献２），無線ＬＡＮを利用する場合には無線ネットワーク情報を設定する必要がある。
【特許文献２】特開2001-14277号公報
【０００５】
更に，カメラ付き携帯電話を用いて商品等を注文するものなどもある（特許文献３）。
【特許文献３】特開2002-82855号公報
【発明の開示】
【０００６】
この発明は，無線ネットワーク情報をユーザが設定しなくとも済むようにすることを目的とする。
【０００７】
第１の発明は，画像データ送信装置とプリント注文受付装置とを含むプリント注文システムについてのものである。
【０００８】
上記画像データ送信装置は，無線ネットワーク情報があらかじめ設定されており，かつこのあらかじめ設定されている無線ネットワーク情報にもとづいて，上記プリント注文受付装置に画像データを無線送信する第１の無線送信手段を備えている。
【０００９】
また，上記プリント注文受付装置は，上記画像データ送信装置の上記第１の無線送信手段から送信された画像データによって表される画像のプリント注文を受け付けるプリント注文受付手段，無線ネットワーク情報があらかじめ設定されており，かつこのあらかじめ設定されている無線ネットワーク情報にもとづいて，上記プリント注文受付手段によるプリント注文の受け付けに応答して，プリント注文識別情報を表すプリント注文識別データを上記画像データ送信装置に無線送信する第２の無線送信手段，上記画像データ送信装置の上記第１の無線送信手段から送信された画像データと上記第２の無線送信手段から送信されたプリント注文識別データとを対応して記憶する記憶手段，プリント注文識別情報を入力する入力手段，および上記入力手段から入力されたプリント注文識別情報にもとづいて，上記記憶手段に記憶されている画像データによって表される画像のプリントを行うようにプリンタを制御するプリンタ制御手段を備えている。
【００１０】
第１の発明によると，上記画像データ送信装置と上記プリント注文受付装置とは無線送信が可能である。上記画像データ送信装置には，無線ネットワーク情報があらかじめ設定されており，かつこのあらかじめ設定されている無線ネットワーク情報にもとづいてプリント注文受付装置に画像データを無線送信する第１の無線送信手段が設けられている。また，上記プリント注文受付装置には，無線ネットワーク情報があらかじめ設定されており，かつこのあらかじめ設定されている無線ネットワーク情報にもとづいてプリント注文識別データを画像データ送信装置に送信する第２の無線送信手段が設けられている。
【００１１】
第１の発明によると，あらかじめ設定されている無線ネットワーク情報にもとづいて，上記画像データ送信装置から上記プリント注文受付装置に画像データが無線送信される。
【００１２】
上記プリント注文受付装置において，上記画像データ送信装置から送信された画像データによって表される画像のプリント注文が受け付けられる。すると，プリント注文の受け付けに応答して，プリント注文識別情報を表すプリント注文識別データが，あらかじめ設定されている無線送信ネットワーク情報にもとづいて上記画像データ送信装置に無線送信される。また，上記画像データ送信装置から送信された画像データと上記プリント注文受付装置から送信されたプリント注文識別データとが対応して記憶される。
【００１３】
画像データ送信装置のユーザは，プリント注文識別情報を画像データ送信装置から出力（表示，印刷など）し，そのプリント注文識別情報を，たとえば，プリント注文受付装置のオペレータ（写真店の店員）に見せる。オペレータによって，そのプリント注文識別情報がプリント注文受付装置に入力される。入力されたプリント注文識別情報にもとづいて，画像のプリントの受け付けが報知される。
【００１４】
第１の発明によると，上記画像データ送信装置と上記プリント注文受付装置の両方に無線送信に必要な無線ネットワーク情報があらかじめ設定されている。上記画像データ送信装置および上記プリント注文受付装置を使用するユーザ，オペレータ等は，無線送信するために無線送信ネットワーク情報を設定する必要がない。設定に不慣れなユーザ等でも無線送信を利用して，画像データ送信装置から送信される画像データによって表される画像のプリント注文ができるようになる。
【００１５】
上記プリント注文受付装置の上記第２の無線送信手段から送信されるプリント注文識別データは，たとえば，バーコードを表すものである。この場合，上記プリント注文受付装置の上記入力手段が，バーコードを読み取るものとなろう。
【００１６】
また，上記画像データ送信装置の上記第１の無線送信手段，および上記プリント注文受付装置の上記第２の無線送信手段の少なくとも一方が暗号化されたデータを送信するものであることが好ましい。送信中のデータが傍受されたとしてもその内容を秘密に保つことができる。
【００１７】
上記プリント注文システムを構成する画像データ送信装置および上記プリント注文受付装置をそれぞれ単独で構成してもよい。
【００１８】
また，上記画像データ送信装置を制御する方法も提供している。すなわち，あらかじめ設定されている無線ネットワーク情報にもとづいて，画像データ送信装置から無線送信された画像データによって表される画像のプリント注文を受け付け，無線ネットワーク情報があらかじめ設定されており，かつこのあらかじめ設定されている無線ネットワーク情報にもとづいて，プリント注文の受け付けに応答して，プリント注文識別情報を表すプリント注文識別データを上記画像データ送信装置に無線送信し，上記画像データ送信装置から送信された画像データと上記プリント注文識別データとを対応して記憶し，プリント注文識別情報の入力を受け付け，入力されたプリント注文識別情報にもとづいて，上記記憶手段に記憶されている画像データによって表される画像のプリントを行うようにプリンタを制御するものである。
【００１９】
また，上記プリント注文受付装置を制御する方法も提供している。すなわち，無線ネットワーク情報があらかじめ設定されており，かつこのあらかじめ設定されている無線ネットワーク情報にもとづいて，プリント注文受付装置に画像データを無線送信し，無線送信された画像データが上記プリント注文受付装置において受信されたことにより，上記プリント注文受付装置から，あらかじめ設定されている無線ネットワーク情報にもとづいて無線送信され，プリント注文識別情報を表すプリント注文識別データを受信し，受信したプリント注文識別データによって表されるプリント注文識別情報を出力するものである。
【実施例】
【００２０】
図１は，この発明の実施例を示すもので，プリント注文受付システムの構成を示している。
【００２１】
この実施例によるプリント注文受付システムには，互いに無線通信が可能なディジタル・スチル・カメラ１およびプリント注文受付装置20が含まれている。
【００２２】
プリント注文受付装置20は，写真店などに置かれる。プリント注文受付装置20を利用するユーザが自分の所有するディジタル・スチル・カメラ１を持参して，写真店に置かれているプリント注文受付装置20を操作する。
【００２３】
無線通信を行う場合には，ESS（Extended Service Set Identifier）-ID，WEP(Wired Equivalemt Privacy)-KEYなどの無線ネットワーク情報を，無線通信を行う装置に設定する必要がある。この実施例によるプリント注文受付システムにおいては，ディジタル・スチル・カメラ１およびプリント注文受付装置20に，無線ネットワーク情報がメーカなどによってあらかじめ設定されている。ディジタル・スチル・カメラ１のユーザ，プリント注文受付装置20のオペレータなどがネットワーク情報をディジタル・スチル・カメラ１およびプリント注文受付装置20に設定する必要が無いので，無線ネットワーク情報の設定に不慣れな人でもプリント注文受け付けシステムを利用できる。
【００２４】
図２は，ディジタル・スチル・カメラ１の電気的構成を示すブロック図である。
【００２５】
ディジタル・スチル・カメラ１の全体の動作は，ＣＰＵ４によって統括される。このＣＰＵ４は，画像データの暗号化，復号処理などの機能も備えている。
【００２６】
シャッタ・レリーズ・ボタン，モード設定ダイアル（モードには，撮影モード，再生モード，セットアップ・モード，プリント注文モードなどがある）などを含むスイッチ／ＬＥＤ（発光ダイオード）等がインプット／アウトプット・ユニット13を介してディジタル・スチル・カメラ１に接続されている。
【００２７】
ディジタル・スチル・カメラ１には，メモリ６が含まれている。このメモリ６に，上述したように，無線ネットワーク情報があらかじめ設定され，記憶されている。また，メモリ６には，ディジタル・スチル・カメラ１に固有のＩＤも記憶されている。
【００２８】
また，ディジタル・スチル・カメラ１には，ストロボ発光装置10が内蔵されており，ストロボ制御回路９によって，その発光が制御される。
【００２９】
撮影モードが設定されると，撮像素子２によって被写体が撮像され，被写体像を表す画像データが得られる。信号処理回路３において画像データに所定の信号処理が行われる。画像データは，液晶表示装置５に与えられることにより，被写体像が液晶表示装置５の表示画面上に表示される。シャッタ・レリーズ・ボタンが押されると，上述のようにして得られた画像データは，メモリ・カード・インターフェイス11に接続されているメモリ・カード12に与えられ，記録される。
【００３０】
再生モードが設定されると，メモリ・カード12に記録されている画像データが読み取られる。読み取られた画像データが液晶表示装置５に与えられることにより，その読み取られた画像データによって表される画像が液晶表示装置５の表示画面上に表示される。
【００３１】
プリント注文モードに設定されると，メモリ・カード12に記録されている画像データが読み取られ，通信インターフェイス８に接続されている無線ＬＡＮ（Local Area Network）ディバイス７に与えられる。無線ＬＡＮディバイス７によって，メモリ・カード12から読み取られた画像データが無線通信によってプリント注文受付装置20に送信される。メモリ６にあらかじめ記憶されている無線ネットワーク情報を利用して無線通信が行われるのはいうまでもない。
【００３２】
図３は，プリント注文受付装置20の電気的構成を示すブロック図である。
【００３３】
プリント注文受付装置20の全体の動作は，ＣＰＵ24によって統括される。このＣＰＵ24は，画像データの暗号化，復号処理などの機能を備えている。
【００３４】
プリント注文受付装置20には，ユーザ，オペレータに操作の仕方を表示するモニタ表示装置22が含まれている。このモニタ表示装置22の表示画面上には指令を受け付けるためのタッチ・パネル21が形成されている。タッチ・パネル21は，インプット・アウトプット・ユニット23を介してプリント注文受付装置20と接続されている。
【００３５】
プリント注文受付装置20にもメモリ25が含まれている。このメモリ25に，無線通信ネットワーク情報が設定され，記憶されている。また，メモリ25には，プリント注文受付装置20に固有のＩＤも記憶されている。さらに，プリント注文受付装置20には，ディジタル・スチル・カメラ１と無線通信をするための無線ＬＡＮディバイス26が通信インターフェイス27およびパケット・フィルタリング回路28を介してＣＰＵ24と接続されている。パケット・フィルタリング回路28は，受信したデータが画像データの書き込み指令に相当するものであれば通過させ，受信したデータがプリント注文受付装置20中に存在するデータの取得指令に相当するものであれば通過を拒否するものである。
【００３６】
また，プリント注文受付装置20には，レシート・プリンタ29が含まれている。レシート・プリンタ29は，写真店がユーザからの画像のプリント注文を受け付けたことを示すレシートをプリントするものである。
【００３７】
さらに，プリント注文受付装置20には，画像をプリントするためのラボラトリ・システム32が内蔵されている。
【００３８】
さらに，後述するように，プリント注文受付装置20にバーコード・スキャナ33を接続するようにしてもよい。
【００３９】
図４および図５は，ディジタル・スチル・カメラ１とプリント注文受付装置との処理手順を示すフローチャートである。
【００４０】
この処理手順は，ディジタル・スチル・カメラ１に記憶されている画像データによって表される画像のプリント注文を行うものである。
【００４１】
ユーザは，プリントしたい画像を表す画像データが記録されているメモリ・カードが装填されているディジタル・スチル・カメラ１を持って，プリント注文受付装置20が配置されている写真店に行く。ユーザは，ディジタル・スチル・カメラ１を持ち，プリント注文受付装置20の前方に立ち，ディジタル・スチル・カメラ１およびにプリント注文受付装置20の操作を行う。
【００４２】
プリント注文受付装置20のモニタ表示装置22の表示画面には，図６に示すスタート画像が表示されている。
【００４３】
図６を参照して，モニタ表示装置22の表示画面34に表示されているスタート画像にはスタート領域Ａ１およびスタート領域Ａ１をタッチし，ディジタル・スチル・カメラ１のモードをプリント注文モードに設定する旨の文章が含まれている。スタート画像をユーザが見ることにより，ユーザはスタート領域Ａ１をタッチし（図４ステップ51でＹＥＳ），かつモード設定ダイアルにより，ディジタル・スチル・カメラ１のモードがプリント注文モードに設定される（図４ステップ41）。
【００４４】
すると，ディジタル・スチル・カメラ１のメモリ６に記憶されているネットワーク情報を用いて，ディジタル・スチル・カメラ１とプリント注文受付装置20との間の無線通信が確立する（図４ステップ42）。同様に，プリント注文受付装置20のメモリ25に記憶されているネットワーク情報を用いて，プリント注文受付装置20とディジタル・スチル・カメラ１との間の無線通信が確立する（図４ステップ52）。無線通信の確立において，固有のＩＤが相手側の装置に送信される。無線通信を行う場合に，その固有のＩＤが利用され，ディジタル・スチル・カメラ１とプリント注文受付装置20との間で１対１の無線通信ができるようになる。
【００４５】
ディジタル・スチル・カメラ１とプリント注文受付装置20との間で無線通信が確立すると，プリント注文受付装置20からディジタル・スチル・カメラ１にサムネイル画像データの要求を示すデータが送信される（図４ステップ53）。
【００４６】
サムネイル画像データの要求データがディジタル・スチル・カメラ１において受信されると，メモリ・カード12に記録されているサムネイル画像データが一駒分ずつ読み取られる。すると，読み取られたサムネイル画像データがディジタル・スチル・カメラ１からプリント注文受付装置20に一駒分ずつ送信される（図４ステップ43）。メモリ・カード12にサムネイル画像データが記録されていなければ，メモリ・カード12から解像度の高い元の画像データ（プリント用画像データということにする）が読み取られ，サムネイル画像データが生成され，その生成されたサムネイル画像データがディジタル・スチル・カメラ１からプリント注文受付装置20に送信されることとなろう。
【００４７】
ディジタル・スチル・カメラ１から送信されたサムネイル画像データがプリント注文受付装置20において一駒分ずつ受信される。すべてのサムネイル画像データがプリント注文受付装置20おにいて受信されると，プリント注文受付装置20のモニタ表示装置22の表示画面にサムネイル画像が一覧で表示される（図４ステップ54）。
【００４８】
図７は，プリント注文受付装置20のモニタ表示装置22の表示画面34に表示されているプリント選択画像（サムネイル一覧画像）の一例である。
【００４９】
プリント選択画像には，サムネイル画像表示領域Ａ２，選択枚数表示領域Ａ３，スクロール・バーＡ４および完了領域Ａ５が含まれている。サムネイル画像表示領域Ａ２には，ディジタル・スチル・カメラ１から送信されたサムネイル画像データによって表されるサムネイル画像ｉが表示される。選択枚数表示領域Ａ３は，サムネイル画像表示領域Ａ２の下に形成されており，ユーザ（ディジタル・スチル・カメラ１のユーザ）によって選択されたプリント枚数が表示される。選択枚数表示領域Ａ３には，枚数が選択されている場合に黒くなるチェック・ボックスbcも含まれている。
【００５０】
サムネイル画像表示領域Ａ２に表示されているサムネイル画像ｉがタッチされることにより，そのタッチされたサムネイル画像のプリント枚数がタッチ回数に応じて選択される。タッチ回数に対応した枚数が，タッチされたサムネイル画像の下の選択枚数表示領域Ａ３に表示される。表示画面34上に表示されていないサムネイル画像を表示する場合には，スクロール・バーＡ４の上または下にある矢印ボタンがタッチされる。プリント枚数の選択が終了すると，完了ボタンがタッチされる。選択枚数をリセットする場合には，リセット領域（図示略）がタッチされる。
【００５１】
図４に戻って，プリントすべき画像が選択されると（図４ステップ55），ユーザによって完了領域Ａ５がタッチされる（図４ステップ56でＹＥＳ），すると，プリント注文受付装置20からディジタル・スチル・カメラ１に，選択された画像に対応するプリント用画像の要求を示すデータが無線送信される（図４ステップ57）。この無線送信も，あらかじめ定められたESS-ID，WEP-KEYなどの無線ネットワーク情報が用いられるのはいうまでもない。
【００５２】
プリント注文受付装置20から送信されたプリント用画像の要求データがディジタル・スチル・カメラ１において受信されると，その受信に応答してメモリ・カード12に記憶されているプリント用画像データ（撮像によって得られた画像データ）が読み取られる。読み取られたプリント用画像データが一駒分ずつ順に，ディジタル・スチル・カメラ１からプリント注文受付装置20に送信される（図５ステップ44）。
【００５３】
ディジタル・スチル・カメラ１から送信されたプリント用画像データがプリント注文受付装置20において受信されると，プリント注文受付装置20のモニタ表示装置22の表示画面34上に，プリント用画像のサムネイル画像（注文確認画像）が表示される（図５ステップ58）。
【００５４】
図８は，プリント注文内容確認画像の一例である。
【００５５】
プリント注文内容確認画像には，サムネイル画像表示領域Ａ６，プリント枚数表示領域Ａ７，ＯＫ領域Ａ８，修正領域Ａ９およびキャンセル領域Ａ10が含まれている。サムネイル画像表示領域Ａ６には，選択されたプリント用画像に対応するサムネイル画像が表示される。プリント枚数表示領域Ａ７には，ユーザによって選択されたプリント枚数が表示される。ＯＫ領域Ａ８は，サムネイル画像表示領域Ａ６に表示された画像に対応するプリント用画像を，プリント枚数表示領域Ａ７に表示された枚数分プリントすることが確認された場合にユーザによってタッチされる。修正領域Ａ９は，プリント注文内容確認画像に表示されているプリント注文内容を修正する場合に，ユーザによってタッチされる。キャンセル領域Ａ10は，プリント注文内容確認画像に表示されているプリント注文内容をキャンセルする場合にユーザによってタッチされる。
【００５６】
図５に戻って，キャンセル領域Ａ10がタッチされると（図５ステップ59），プリント注文受付装置20のモニタ表示装置22の表示画面34には，スタート画像（図６参照）が表示され，再びステップ51からの処理が行われることとなる。修正領域Ａ９がタッチされると（図５ステップ59），プリント注文受付装置20のモニタ表示装置22の表示画面34には，プリント選択画像（図７）が表示され，プリント注文画像の選択をやり直すためにステップ54からの処理が行われる。ＯＫ領域がタッチされると（図５ステップ59），プリント注文が受け付けられ，一連のプリント注文に固有のプリント注文ＩＤ（プリント注文識別情報）が作成される（図５ステップ60）。作成されたプリント注文ＩＤと一連のプリント注文で選択されたプリント用画像のファイル名およびプリント枚数とが対応してプリント注文テーブルに記憶される（ステップ61）。
【００５７】
図９は，プリント注文テーブルの一例である。
【００５８】
プリント注文テーブルには，一連のプリント注文に対応して作成されたプリント注文ＩＤに対応して，そのプリント注文によって指定されたプリント用画像の画像ファイル名およびプリント枚数とが記憶されている。プリント注文テーブルは，プリント注文受付装置20のメモリ25に記憶される。それらの一例として，一連のプリント注文においてプリントすべき画像として指定された画像のファイル名が「001.jpg」および「002.jpg」，プリント枚数がそれぞれ１枚および２枚のものがプリント注文ＩＤ「0397241」に対応するものとしてプリント注文テーブルに格納されている。このようにプリント注文テーブルが作成されることにより，プリント注文ＩＤが指定されれば，プリントすべき画像およびその枚数が分かる。さらに，プリント注文ＩＤを利用して，プリント注文した正当なユーザかどうかを確認することができる。
【００５９】
図５に戻って，作成されたプリント注文ＩＤを表わすデータは，プリント注文受付装置20からディジタル・スチル・カメラ１に送信される（図５ステップ62）。
【００６０】
プリント注文受付装置20から送信されたプリント注文ＩＤデータがディジタル・スチル・カメラ１において受信されると，ディジタル・スチル・カメラ１の表示装置５の表示画面15には，注文完了画像が表示される（図５ステップ45）。
【００６１】
図10は，注文完了画像の一例である。
【００６２】
注文完了画像には，プリント注文が完了した旨，プリント注文後にディジタル・スチル・カメラ１のユーザがすべき行動の指示（ディジタル・スチル・カメラ１の表示画面15を写真店の店員に見せること）およびプリント注文ＩＤが含まれている。この注文完了に含まれているプリント注文ＩＤを写真店の店員に見せることにより，ディジタル・スチル・カメラ１のユーザがプリント注文を行った正当なユーザであることが写真店の店員によって確認できる。
【００６３】
図５に戻って，注文確認画像が表示されるとプリント注文ＩＤ確認データがディジタル・スチル・カメラ１からプリント注文受付装置20に送信される（図５ステップ46）。すると，ディジタル・スチル・カメラ１の無線通信は切断される（図５ステップ47）。
【００６４】
ディジタル・スチル・カメラ１から送信されたプリント注文ＩＤ確認データがプリント注文受付装置20おいて受信されると，プリント注文受付装置20においても無線通信が切断される（ステップ63）。
【００６５】
図11は，上述したようにプリント注文が行われたあとに，ディジタル・スチル・カメラ１のユーザが行うべきことと，プリント注文受付装置20の動作処理とをフローチャートとして表したものである。
【００６６】
上述のように，ディジタル・スチル・カメラ１の表示画面15にプリント注文ＩＤが表示されると（図10参照），ユーザは，その表示画面15を写真店の店員に見せる（ステップ71）。
【００６７】
ディジタル・スチル・カメラ１のユーザから表示画面15を見せられた写真店の店員は，その表示画面15に表示されているプリント注文ＩＤを見て，そのプリント注文ＩＤをプリント注文受付装置20に入力する（ステップ81）。プリント注文受付装置20の表示画面34には，スタート画像が表示されているから，スタート画像の中のモード変更領域（図示略）によってレシート発行モードにさせられ，プリント注文ＩＤの入力画像に変更したあとに，プリント注文ＩＤを入力することはいうまでもない。
【００６８】
プリント注文ＩＤが入力させられると，その入力されたプリント注文ＩＤがプリント注文テーブルに格納されているかどうかが確認される。格納されていると，入力されたプリント注文ＩＤが正しいものと見なされる（ステップ82でＹＥＳ）。プリント注文ＩＤが正しくなければ（ステップ82でＮＯ），所定のエラー処理が行われる。
【００６９】
入力されたプリント注文ＩＤが正しいときには，受付番号，プリント注文ＩＤを入力した写真店の店員名，仕上がり予定時刻などが印刷された受付レシートがレシート・プリンタ29から発行させられる（ステップ83）。受付レシートには，写真店の店員によってディジタル・スチル・カメラ１のユーザの氏名，連絡先を記入してもよいし，受付レシート発行前にディジタル・スチル・カメラ1のユーザの氏名，連絡先をプリント注文受付装置20に入力して（図示略），ユーザの氏名，連絡先も印刷された受付レシートを発行してもよい。
【００７０】
発行された受付レシートがディジタル・スチル・カメラ１のユーザに渡される（ステップ72）。
【００７１】
その後，プリント注文受付装置20において，ディジタル・スチル・カメラ１のユーザによって選択された画像が，選択された枚数分プリントされる（ステップ84）。プリントは，ディジタル・スチル・カメラ１のユーザの氏名，連絡先などに応じて写真店において保管される。
【００７２】
ユーザは，仕上がり予定時刻以降に受付レシートを持って写真店に行き，受付レシートおよび料金と引き換えにプリントを受け取ることとなる。
【００７３】
図12は，変形例を示すもので，ディジタル・スチル・カメラ１とプリント注文受付装置20との間の処理手順の一部を示すフローチャートである。図12は，図４に対応しており，図４に示す処理と同一の処理については同一符号を付して説明を省略する。
【００７４】
上述した処理においては，プリントすべき画像の選択およびその枚数の選択は，プリント注文受付装置20において行なっていた。これに対して，図12に示す処理においては，プリントすべき画像の選択およびその枚数の選択は，ディジタル・スチル・カメラ１においてすでに行われているものである。選択された画像のファイル名およびプリント枚数などのプリント注文データは，ディジタル・スチル・カメラ１に装填されているメモリ・カード12に記録されているものとする。
【００７５】
ディジタル・スチル・カメラ１とプリント注文受付装置20との間であらかじめ定められたネットワーク情報を用いて無線通信が確立すると（ステップ42，52），プリント注文受付装置20からディジタル・スチル・カメラ１にプリント注文データおよびプリント注文データにしたがってプリントすべきプリント用画像データの要求データが送信される（ステップ64）。
【００７６】
プリント注文受付装置20から送信されたプリント注文データの要求データがディジタル・スチル・カメラ１において受信されると，その受信に応答して，あらかじめ記録されているプリント注文データおよびプリント用画像データがメモリ・カード12から読み取られる。読み取られたプリント注文データ等がディジタル・スチル・カメラ１からプリント注文受付装置20に送信される（ステップ48）。
【００７７】
ディジタル・スチル・カメラ１から送信されたプリント注文データ等がプリント注文受付装置20において受信されると，受信されたプリント用画像データによって表されるプリント画像（サムネイル画像）がプリント注文受付装置20の表示画面34に表示される（ステップ58）。この後の処理は，上述したものと同様である。
【００７８】
図13および図14は，他の変形例を示すもので，ディジタル・スチル・カメラ１の表示画面15に表示される注文完了画像の一例である。
【００７９】
上述した処理においては，ディジタル・スチル・カメラ１の表示画面15に表示されるプリント注文ＩＤは，複数の数字の組み合わせであったが，次に示す処理においてはプリント注文ＩＤは，バーコードを利用したものである。
【００８０】
図13は，プリント注文ＩＤに二次元バーコード16が利用されている注文完了画像の一例であり，図14は，プリント注文ＩＤに一次元バーコード17が利用されている注文完了画像の一例である。
【００８１】
図15は，上述したようにプリント注文ＩＤにバーコードを利用した場合のディジタル・スチル・カメラ１のユーザの行う行為とプリント注文受付装置20の処理とをフローチャートで示したものである。図15に示す処理は，図11に示す処理に対応しており，図11に示す処理と同一の処理については同一符号を付して説明を省略する。
【００８２】
この処理においては，プリント注文受付装置20には，バーコード・スキャナ33が設けられる。上述のように，ディジタル・スチル・カメラ１の表示画面15に注文完了画像が表示されると，ディジタル・スチル・カメラ１が写真店の店員に渡される（ステップ71）。写真店の店員によって，ディジタル・スチル・カメラ１の表示画面15に表示されているバーコード16または17などが，プリント注文受付装置20のバーコード・スキャナ33によって読み取られる（ステップ85）。バーコード16または17などは，ユーザが直接バーコード・スキャナ33に読み取らせても良い。すると，プリント注文受付装置20において，読み取られたバーコードからプリント注文ＩＤが認識される。認識されたプリント注文ＩＤが正しいものかが確認される（ステップ82）。
【００８３】
図16は，さらに他の変形例を示すもので，ディジタル・スチル・カメラ１とプリント注文受付装置20との処理手順の一部を示すフローチャートである。この図は，図４に対応するもので，図４に示す処理と同一の処理については同一符号を付して説明を省略する。
【００８４】
図16に示す処理は，画像データ（サムネイル画像データ，プリント用画像データ）を暗号化し，暗号化された画像データを送受信するものである。もっともプリント注文受付装置20において，画像データの要求データを暗号化し，暗号化された要求データを送受信するようにしてもよい。
【００８５】
上述のように，あらかじめ定められたネットワーク情報にもとづいて無線通信が確立すると（ステップ42，52），ディジタル・スチル・カメラ１とプリント注文受付装置20との間でセキュア・コネクションが確立する（ステップ91，101）。すると，ディジタル・スチル・カメラ１とプリント注文受付装置20との間でのデータ通信は，暗号化されたものが用いられることとなる。プリント注文受付装置20からのサムネイル画像データの要求に応じて（ステップ53），ディジタル・スチル・カメラ１において，サムネイル画像データが暗号化させられる（ステップ92）。暗号化されたサムネイル画像データがディジタル・スチル・カメラ１からプリント注文受付装置20に送信させられる（ステップ43）。
【００８６】
暗号化されたサムネイル画像データがプリント注文受付装置20において受信されると，復号され，復号されたサムネイル画像データによって表されるサムネイル画像がプリント注文受付装置20の表示画面34上に表示される（ステップ54）。
【００８７】
また，プリント注文受付装置20からディジタル・スチル・カメラ１にプリント用画像の要求データが送信されると（ステップ57），ディジタル・スチル・カメラ１においてプリント用画像データも暗号化させられる（ステップ93）。暗号化させられたプリント用画像データがディジタル・スチル・カメラ１からプリント注文受付装置20に送信される（ステップ44）。
【００８８】
暗号化させられたプリント用画像データがプリント注文受付装置20において受信されると，復号され，復号されたプリント用画像データによって表されるプリント用画像がプリントされることとなる。
【図面の簡単な説明】
【００８９】
【図１】プリント注文受付システムの概要である。
【図２】ディジタル・スチル・カメラの電気的構成を示すブロック図である。
【図３】プリント注文受付装置の電気的構成を示すブロック図である。
【図４】ディジタル・スチル・カメラとプリント注文受付装置との処理手順を示すフローチャートである。
【図５】ディジタル・スチル・カメラとプリント注文受付装置との処理手順を示すフローチャートである。
【図６】プリント注文受付装置の表示画面に表示される画像の一例である。
【図７】プリント注文受付装置の表示画面に表示される画像の一例である。
【図８】プリント注文受付装置の表示画面に表示される画像の一例である。
【図９】プリント注文テーブルの一例である。
【図１０】ディジタル・スチル・カメラの表示画面に表示される画像の一例である。
【図１１】ディジタル・スチル・カメラのユーザが行う行為とプリント注文受付装置の処理とをフローチャートで示している。
【図１２】ディジタル・スチル・カメラとプリント注文受付装置との処理手順を示すフローチャートである。
【図１３】ディジタル・スチル・カメラの表示画面に表示される画像の一例である。
【図１４】ディジタル・スチル・カメラの表示画面に表示される画像の一例である。
【図１５】ディジタル・スチル・カメラのユーザが行う行為とプリント注文受付装置の処理とをフローチャートで示している。
【図１６】ディジタル・スチル・カメラとプリント注文受付装置との処理手順を示すフローチャートである。
【符号の説明】
【００９０】
１  ディジタル・スチル・カメラ
４，24  ＣＰＵ
６，25  メモリ
７，26  無線ＬＡＮディバイス
12  メモリ・カード
14，31  スイッチ／ＬＥＤ等
20  プリント注文受付装置
32  ラボラトリ・システム
33  バーコード・スキャナ
【図１】
2005242732.tif 000003
【図２】
2005242732.tif 000004
【図３】
2005242732.tif 000005
【図４】
2005242732.tif 000006
【図５】
2005242732.tif 000007
【図６】
2005242732.tif 000008
【図７】
2005242732.tif 000009
【図８】
2005242732.tif 000010
【図９】
2005242732.tif 000011
【図１０】
2005242732.tif 000012
【図１１】
2005242732.tif 000013
【図１２】
2005242732.tif 000014
【図１３】
2005242732.tif 000015
【図１４】
2005242732.tif 000016
【図１５】
2005242732.tif 000017
【図１６】
2005242732.tif 000018